(57)【要約】【課題】複数のタスクから成るビジネスプロセスを自動化するための装置を提供する。【解決手段】本装置は、ビジネスプロセスダイヤグラムを生成及び編集するためのダイヤグラムエディタを具備する。ビジネスプロセスダイヤグラムは複数のタスクを含む。また、本装置は、ビジネスプロセスダイヤグラム中の複数のタスクのうちの少なくとも１つのインプリメンテーションを生成及び編集するためのインプリメンテーションエディタを具備する。インプリメンテーションは複数の処理から成る。ビジネスプロセスダイヤグラムとインプリメンテーションとで実行可能なビジネスプロセス定義を形成する。【選択図】図１
2010211796.tif 000002
【特許請求の範囲】
【請求項１】
複数のタスクから成るビジネスプロセスの自動化装置であって、
前記複数のタスクを含むビジネスプロセスダイヤグラムを生成及び編集するダイヤグラムエディタと、
前記ビジネスプロセスダイヤグラム中の前記複数のタスクのうちの少なくとも１つのインプリメンテーションを生成及び編集するインプリメンテーションエディタと
を具備し、
前記インプリメンテーションは複数の処理から成り、
前記ビジネスプロセスダイヤグラムと前記インプリメンテーションとで実行可能なビジネスプロセス定義を形成することを特徴とする装置。
【請求項２】
前記ビジネスプロセス定義を格納するリポジトリをさらに具備することを特徴とする請求項１に記載の装置。
【請求項３】
前記ビジネスプロセス定義を実行する実行モジュールをさらに具備することを特徴とする請求項１又は２に記載の装置。
【請求項４】
前記実行モジュールによる前記ビジネスプロセス定義の実行を監視及び制御する監視及び制御モジュールをさらに具備することを特徴とする請求項３に記載の装置。
【請求項５】
前記インプリメンテーションエディタが追加的な構造の設定をさらに実行することを特徴とする請求項１ないし４のいずれか１項に記載の装置。
【請求項６】
前記ダイヤグラムエディタが、
ダイヤグラムキャンバスと、
前記ダイヤグラムキャンバス上に前記ビジネスプロセスダイヤグラムを構築する選択可能なダイヤグラム基本要素と
を具備することを特徴とする請求項１ないし５に記載の装置。
【請求項７】
前記インプリメンテーションエディタが、
インプリメンテーションキャンバスと、
前記インプリメンテーションキャンバス上に前記ビジネスプロセスダイヤグラム中の前記複数のタスクのうちの少なくとも１つのインプリメンテーションを構築する選択可能なインプリメンテーション基本要素と
を具備することを特徴とする請求項１ないし６に記載の装置。
【請求項８】
前記ダイヤグラムエディタ及び前記インプリメンテーションエディタへのアクセスを提供する少なくとも１つのユーザコンソールをさらに具備することを特徴とする請求項１ないし７に記載の装置。
【請求項９】
複数のタスクから成るビジネスプロセスの自動化方法であって、
ビジネスプロセス自動化装置のダイヤグラムエディタを用いて、前記複数のタスクを含むビジネスプロセスダイヤグラムを生成する段階と、
前記ビジネスプロセス自動化装置のインプリメンテーションエディタを用いて、前記ビジネスプロセスダイヤグラム中の前記複数のタスクのうちの少なくとも１つのインプリメンテーションを生成する段階と
を有し、
前記ビジネスプロセスダイヤグラムと前記インプリメンテーションとで実行可能なビジネスプロセス定義を形成することを特徴とする方法。
【請求項１０】
前記ビジネスプロセスダイヤグラムを生成する段階の前に、ビジネスプロセス定義が存在しているか否かについて、前記ビジネスプロセス自動化装置のリポジトリをチェックする段階をさらに有することを特徴とする請求項９に記載の方法。
【請求項１１】
前記実行可能なビジネスプロセス定義を前記リポジトリに格納する段階をさらに有することを特徴とする請求項１０に記載の方法。
【請求項１２】
前記ビジネスプロセス自動化装置の実行モジュールを用いて、前記ビジネスプロセス定義を実行する段階をさらに有することを特徴とする請求項９ないし１１のいずれか１項に記載の方法。
【請求項１３】
前記ビジネスプロセス自動化装置の監視及び制御モジュールを用いて、前記ビジネスプロセス定義の実行を監視及び制御する段階をさらに有することを特徴とする請求項１２に記載の方法。
【請求項１４】
前記インプリメンテーションエディタを用いて、追加的な構造を設定する段階をさらに有することを特徴とする請求項９ないし１３のいずれか１項に記載の方法。
【請求項１５】
前記ビジネスプロセスダイヤグラムを生成する段階が、選択可能なダイヤグラム基本要素を用いて前記ダイヤグラムエディタのダイヤグラムキャンバス上に前記ビジネスプロセスダイヤグラムを構築する段階であることを特徴とする請求項９ないし１４のいずれか１項に記載の方法。
【請求項１６】
前記インプリメンテーションを生成する段階が、選択可能なインプリメンテーション基本要素を用いて前記インプリメンテーションエディタのインプリメンテーションキャンバス上に前記ビジネスプロセスダイヤグラム中の前記複数のタスクのうちの少なくとも１つのインプリメンテーションを構築する段階であることを特徴とする請求項９ないし１５のいずれか１項に記載の方法。
【請求項１７】
前記ビジネスプロセス自動化装置の少なくとも１つのユーザコンソールを介して、前記ダイヤグラムエディタ及び前記インプリメンテーションエディタへのアクセスを提供する段階をさらに有することを特徴とする請求項９ないし１６のいずれか１項に記載の方法。
【発明の詳細な説明】
【技術分野】
【０００１】
本発明は、ビジネスプロセス管理のための装置及び方法に関し、特に、それに限定しないが、ビジネスプロセスの自動化に関する。
【背景技術】
【０００２】
ビジネスプロセス又は手続きは、現代の企業活動の基本要素である。したがって、ビジネスプロセス管理は、特にビジネスプロセスが該ビジネスプロセスの自動化を可能とするＩＴ応用システム及びツールに関係している場合に、組織の能率及び品質についての重大な意味を持つ。
【０００３】
典型的に、ビジネスプロセスの自動化は、異なる４つのフェーズ、すなわち、１）定義、設計、及びモデル化フェーズ、２）開発及び配備フェーズ、３）管理及び監視フェーズ、及び、４）分析及び最適化フェーズから成る。
【０００４】
第１の定義、設計、及びモデル化フェーズでは、通常、ビジネスプロセスは、複数のタスクのワークフローとして設計及び文書化される。典型的に、ワークフローの文書化は、専用のフローチャート作成ソフトウェア（例えば、ＳｍａｒｔＤｒａｗ、Ｍｉｃｒｏｓｏｆｔ Ｖｉｓｉｏなど）を用い、ビジネスロジック要件に基づいた、ブロックや矢印の形式での紙又はコンピュータ画面上へのビジネスプロセスの表現を伴う。このとき、各ブロックの機能を修飾するために、特定の記述が追加されることがある。
【０００５】
通常、ワークフローの文書化は、ビジネスアナリスト、すなわち、そのようなビジネスプロセスを取り扱い、そのようなビジネスプロセスを形成する複数のタスクに精通した人々によって実施される。例えば、会社の従業員の休暇願は、その会社の人事部門の管理下にあるビジネスプロセスとみなされる。したがって、休暇願のビジネスプロセスは、通常は、人事責任者などによって文書化される。休暇願ワークフローの複数のタスクは、１）会社の従業員により申し出のあった休暇願の、彼の上司への提出、２）上司による決裁、及び、３）上司の決裁の、人事部門及び当該従業員への通知から成る。したがって、文書化された休暇願ワークフローは、先に記載した通り、複数の矢印で適切に結ばれた３つの別々のブロックとして、３つのタスクで表現される。
【０００６】
第２の開発及び配備フェーズでは、文書化ワークフローは、組織のＩＴインフラストラクチャーを構成する１つ以上のシステム間の対話によって実現されなければならない。典型的に、これは、ビジネスプロセスを形成する複数のタスクのそれぞれを実行する際に生じるさまざまな処理の部分的又は全体的な自動化に対して、実行可能なプロセスを生成することによって達成される。実行可能なプロセスは、ソフトウェアアーティファクトであってよく、また、ソフトウェアアーティファクトは、ビジネスプロセス実行モジュールによる実行のための入力としての機能を果たすために、グラフィカル表示が可能である。このように定義された実行可能なプロセスは、他のサービスに応じて新しいサービスを記述するという意味で、サービス統合（orchestration）と称される。
【０００７】
上記の休暇願を例にとると、休暇願の第１タスクのサービス統合、すなわち、会社の従業員により申し出のあった休暇願の彼の上司への提出は、実行可能なプロセスの形式での複数の処理、例えば、ｉ）休暇願ソフトウェアモジュールの起動、ｉｉ）従業員の氏名の選択、ｉｉｉ）休暇日の選択、ｉｖ）休暇願の保存、及びｖ）上司への未決裁形式での休暇願要求の転送、を伴う。
【０００８】
故に、文書化されたワークフローから実行可能なプロセスを生成するためには、しばしば、プログラミングスキルと、この目的のために設計されたさまざまな専用ソフトウェア製品に採用された取り決めの広範な理解とが要求される。したがって、ワークフローの文書化を行う（人事責任者などの）ビジネスアナリストは、通常、ソフトウェアを用いてビジネスタスクを特定の処理としてプログラミング又は実装する訓練を受けていないので、これらは、通常、ＩＴ技術者によって実施される。
【０００９】
また、ワークフローの文書化と実行可能なプロセスの生成とには異なる専用ソフトウェア製品が用いられるので、文書化されたワークフローから実行可能なプロセスを生成するには、文書化されたワークフローをビジネスタスクの実装のための専用ソフトウェア製品に移行させる必要がある。
【００１０】
したがって、伝統的に、ビジネスプロセスの自動化は、時間を浪費し、高コストであり、かつリソースを大きく割く。それは、異なる専門分野及び部門の人員に、複数のソフトウェアプラットホーム間への彼らのノウハウの円滑な移行及び適用を確保することを強いることとなり、それによって、能力の隔たり及び／又は専門家の活用限界に起因する管理コストが上昇する。また、文書化されたワークフローから実行可能なプロセスの生成への転送又は移行の間に、コミュニケーション障害が生じるおそれがあり、それによって、ビジネスワークフロー設計と実装との間の品質適合度にずれが生じる。
【発明の概要】
【課題を解決するための手段】
【００１１】
例示的な第１態様によれば、ビジネスプロセスの自動化装置が提供される。ビジネスプロセスは複数のタスクから成る。上記装置は、ビジネスプロセスダイヤグラムを生成及び編集するためのダイヤグラムエディタを具備する。ビジネスプロセスダイヤグラムは複数のタスクを含む。また、上記装置は、ビジネスプロセスダイヤグラム中の複数のタスクのうちの少なくとも１つのインプリメンテーションを生成及び編集するためのインプリメンテーションエディタを具備する。インプリメンテーションは複数の処理から成る。ビジネスプロセスダイヤグラムとインプリメンテーションとで実行可能なビジネスプロセス定義を形成する。
【００１２】
上記装置は、その中にビジネスプロセス定義を格納するためのリポジトリ、ビジネスプロセス定義を実行するための実行モジュール、及び／又は、該実行モジュールによるビジネスプロセス定義の実行を監視及び制御するための監視及び制御モジュールをさらに具備する。
【００１３】
好ましくは、インプリメンテーションエディタは、追加的な構造の設定をさらに行う。ダイヤグラムエディタは、ダイヤグラムキャンバスと、該ダイヤグラムキャンバス上にビジネスプロセスダイヤグラムを構築するための選択可能なダイヤグラム基本要素とを具備する。
【００１４】
インプリメンテーションエディタは、インプリメンテーションキャンバスと、該インプリメンテーションキャンバス上にビジネスプロセスダイヤグラム中の複数のタスクのうちの少なくとも１つのインプリメンテーションを構築するための選択可能なインプリメンテーション基本要素とを具備する。
【００１５】
上記装置は、ダイヤグラムエディタ及びインプリメンテーションエディタへのアクセスを提供するための少なくとも１つのユーザコンソールを具備する。
【００１６】
例示的な第２態様によれば、ビジネスプロセスの自動化方法が提供される。ビジネスプロセスは複数のタスクから成る。上記方法は、ビジネスプロセス自動化装置のダイヤグラムエディタを用いて、ビジネスプロセスダイヤグラムを生成する段階を有する。ビジネスプロセスダイヤグラムは複数のタスクを含む。また、上記方法は、ビジネスプロセス自動化装置のインプリメンテーションエディタを用いて、ビジネスプロセスダイヤグラム中の複数のタスクのうちの少なくとも１つのインプリメンテーションを生成する段階を有する。ビジネスプロセスダイヤグラムとインプリメンテーションとで実行可能なビジネスプロセス定義を形成する。
【００１７】
上記方法は、ビジネスプロセスダイヤグラムを生成する段階より前にビジネスプロセス定義が存在するか否かについてビジネスプロセス自動化装置のリポジトリをチェックする段階、実行可能なビジネスプロセス定義をリポジトリに格納する段階、ビジネスプロセス自動化装置の実行モジュールを用いて、ビジネスプロセス定義を実行する段階、ビジネスプロセス自動化装置の監視及び制御モジュールを用いて、ビジネスプロセス定義の実行を監視及び制御する段階、及び／又は、インプリメンテーションエディタを用いて、追加的な構造を設定する段階をさらに有する。
【００１８】
ビジネスプロセスダイヤグラムを生成する段階は、選択可能なダイヤグラム基本要素を用いて、ダイヤグラムエディタのダイヤグラムキャンバス上にビジネスプロセスダイヤグラムを構築する段階を含む。
【００１９】
インプリメンテーションを生成する段階は、選択可能なインプリメンテーション基本要素を用いて、インプリメンテーションエディタのインプリメンテーションキャンバス上にビジネスプロセスダイヤグラム中の複数のタスクのうちの少なくとも１つのインプリメンテーションを構築する段階を含む。
【００２０】
上記方法は、ビジネスプロセス自動化装置の少なくとも１つのユーザコンソールを介して、ダイヤグラムエディタ及びインプリメンテーションエディタへのアクセスを提供する段階をさらに有する。
【図面の簡単な説明】
【００２１】
【図１】ビジネスプロセスの自動化のための例示的な装置の構成図である。
【図２】ビジネスプロセスの自動化の例示的な方法のフローチャートである。
【図３】図１の例示的な装置のダイヤグラムエディタの例示的なスクリーンショットの概略図である。
【図４】図１の例示的な装置のインプリメンテーションエディタの例示的なスクリーンショットの概略図である。
【発明を実施するための形態】
【００２２】
これより、発明が完全に理解され、実際の効果が容易に把握されるように、限定ではなく例示のみを目的として、本発明の例示的な実施形態を添付の図面を参照して説明する。
【００２３】
ビジネスプロセスの自動化のための例示的な装置を図１に示す。典型的に、ビジネスプロセスは、ビジネスプロセスワークフローとして互いにリンクした複数のタスクから成る。
【００２４】
装置１０は、ワークフローからビジネスプロセスダイヤグラムを生成し、編集するためのビジネスプロセスダイヤグラムエディタ１２を具備する。ダイヤグラムエディタ１２の例示的なスクリーンショット３００を図３に示す。好ましくは、ダイヤグラムエディタ１２は、ダイヤグラムキャンバス３０１と、該ダイヤグラムキャンバス３０１上にビジネスプロセスダイヤグラム３０３を構築するための選択可能なダイヤグラム基本要素３０２とを具備する。
【００２５】
好ましくは、ダイヤグラム基本要素３０２は、ユーザによる選択のために、ツールボックス３０４内に表示される。好ましくは、ダイヤグラム基本要素３０２は、処理を表す長方形ボックス、判断を表すひし形ボックス、待ちを表す円形ボックスなどの従来のフローチャート作成用要素を含み、各要素は、ビジネスプロセスワークフロー中の複数のタスクのそれぞれを表すために使用できる。好ましくは、ＢＰＭＮ２．０などの標準的な工業表記法に従う。また、好ましくは、ダイヤグラム基本要素３０２は、ワークフロー中の複数のタスクを表したフローチャート要素同士を互いに適切にリンクさせるための結合矢印を含む。したがって、ユーザは、マウスを用いて、適切なダイヤグラム基本要素３０２をダイヤグラムキャンバス３０１上に単に「ドラッグアンドドロップ」して、複数のタスクから成るビジネスプロセスダイヤグラム３０３を構築できる。
【００２６】
また、ダイヤグラムエディタ１２に加えて、装置１０は、ビジネスプロセスダイヤグラム３０３中の複数のタスクのうちの少なくとも１つのインプリメンテーションを生成及び編集するためのインプリメンテーションエディタを具備する。通常、タスクのインプリメンテーションは、一連のプログラム命令文のように構成される必要がある多数の処理から成る。図４は、インプリメンテーションエディタ１４の例示的なスクリーンショット４００を示す。インプリメンテーションエディタ１４は、グラフィカルモデルを用いて、タスク３０２−１の実行ロジックを表示し、そのタスク３０２−１のために所定の順序で実行される一連のステップを宣言又は指定する。例示的な実施形態において、インプリメンテーションエディタ１４は、実装しようとするタスク３０２−１上でのマウスのダブルクリックによって、起動又はダイヤグラムキャンバス３０１上に表示（アクティブ化）される。
【００２７】
好ましくは、インプリメンテーションエディタ１４は、インプリメンテーションキャンバス４０１と、該インプリメンテーションキャンバス４０１上にビジネスプロセスダイヤグラム３０３中の複数のタスク３０２−１のうちの少なくとも１つのインプリメンテーション４０３を構築するための選択可能なインプリメンテーション基本要素４０２とを具備する。好ましくは、インプリメンテーション基本要素４０２は、ウェブサービスの起動及び電子メールを介した通知などを行う従来のアプリケーション統合ブロック、又は領域特定統合ブロックなどを含む。各要素は、ビジネスプロセスダイヤグラム３０３中のタスク３０２−１のインプリメンテーション４０３に関連した複数の処理のそれぞれを表すために使用される。
【００２８】
また、好ましくは、インプリメンテーション基本要素４０２は、実行フローの決定を行う。実行フロー内において、制御の流れは、順次、ｉｆ−ｅｌｓｅ分岐、及びｗｈｉｌｅループなどのインプリメンテーション基本要素の構造で定義される。故に、ユーザは、マウスを用いて、インプリメンテーションキャンバス４０１上で適切なインプリメンテーション基本要素４０２を単に「ドラッグアンドドロップ」してよい。このようにして、複数の処理から成るインプリメンテーション４０３は、要求に応じて複数のタスク３０２−１のそれぞれに対して生成される。好ましくは、ＶＢ．ｎｅｔ及びＣ＃のような有名かつ業界標準的な製品バージョンのプログラミング言語がインプリメンテーションエディタ１４に提供される。それによって、インプリメンテーション４０３を生成するために要求されるスキルレベルを抑制できる。
【００２９】
ビジネスプロセスダイヤグラム３０３は、複数のタスクのうちの少なくとも１つのインプリメンテーション又は好ましくは全てのインプリメンテーションと共に、実行可能なビジネスプロセス定義１３を形成する。
【００３０】
好ましくは、装置１０は、実行可能なビジネスプロセス定義１３をリポジトリ１６に格納又は保存可能とするように構成される。このようにして、ビジネスプロセス定義１３は、後の使用のために、又は、ダイヤグラムエディタ１２又はインプリメンテーションエディタ１４による編集のために取り出すことができる。
【００３１】
また、好ましくは、装置１０は、ビジネスプロセス定義１３を実行するための実行モジュール１８を具備する。実行モジュール１８は、バックエンドサーバにインストールされてよく、必要なときに、実行のためにリポジトリ１６からビジネスプロセス定義１３を取り出すことだけが行われる。
【００３２】
装置１０は、実行モジュール１８によるビジネスプロセス定義１３の実行を監視及び制御するための監視及び制御モジュール２０をさらに具備する。監視及び制御モジュール２０による実行時の処理及びタスクの監視によって得られる粒度は、それらの明瞭性及び作用を向上させる。
【００３３】
ビジネスプロセスの任意の対話コンポーネントにエラーが生じた場合、装置１０は、それぞれに見合ったダイヤグラムエディタ１２又はインプリメンテーションエディタ１４を用いて、必要なアクセス特権又は権利を有したユーザがビジネスプロセスの経路を再ルーティング可能とするようにさらに構成される。
【００３４】
装置１０を使用する例示的な方法２００を図２に示す。開始時、好ましくは、ステップ２０１において、使用に適した適切なビジネスプロセス定義１３がリポジトリ１６に既に格納されているか否かがチェックされる。格納されていた場合、２０２において、適切なビジネスプロセス定義１３がリポジトリ１６から取り出され、２０７において、実行モジュール１８を用いて配置又は実行される。適切なビジネスプロセス定義１３がリポジトリ１６内に見つからなかった場合、２０４において、ダイヤグラムエディタ１２を用いて、ビジネスプロセスダイヤグラムが生成される。典型的に、これは１人以上のビジネスアナリストによって行われる。
【００３５】
ビジネスプロセスダイヤグラムが生成された後、２０５において、ビジネスプロセスダイヤグラム中の複数のタスクのうちの少なくとも１つのインプリメンテーションが、インプリメンテーションエディタを用いて生成される。通常、これは１人以上のＩＴ技術者によって実行される。通常、ＩＴ技術者は、必要に応じてビジネスプロセスダイヤグラム中の全タスクに対するインプリメンテーションを同時に生成する。２０６において、ビジネスプロセスダイヤグラムと（複数の）インプリメンテーションとで新たなビジネスプロセス定義１３を形成する。好ましくは、新たなビジネスプロセス定義１３は、リポジトリ１６に格納され、続いて、２０７において、要求に応じて実行モジュール１８によって配置又は実行される。２０８において、ビジネスプロセス定義の実行は、監視及び制御モジュール２０によってさらに監視及び制御される。
【００３６】
好ましくは、装置１０は、少なくとも１つのユーザコンソール２２を具備し、該ユーザコンソール２２を介して、ダイヤグラムエディタ１２及びインプリメンテーションエディタ１４へのアクセスが提供される。また、同一のユーザコンソール２２が、監視及び制御モジュール２０へのアクセスを提供してもよい。
【００３７】
装置１０は、業務に固有のビジネスプロセステンプレートの提供によって機能強化され、ビジネスプロセスダイヤグラム及びインプリメンテーションの生成を簡素化及び高速化する。また、ビジネスプロセス効率の周期的な追跡又はその他の統計などのビジネスプロセス分析が提供される。このようにして、装置１０は、ベースラインを提供し、ある期間にわたり又はある回数の実行にわたり、ビジネスプロセスの改善に関する性能評価、最適化、及び／又は測定を可能とするように使用できる。
【００３８】
２０４で複数のタスクから成るビジネスプロセスダイヤグラムを生成するため、かつ２０５で複数の処理から成る各タスクのインプリメンテーションを生成するための単一の装置１０を提供することによって、ビジネスアナリスト及びＩＴ技術者の多様な要件が統合される。ビジネスプロセスの自動化の異なるフェーズにおいて、異なるユーザグループが装置１０及び方法２００を使用できる。装置１０は、ビジネスプロセスダイヤグラム３０３の形式でビジネスプロセスを定義及び文書化するように、ビジネスアナリストに対してツールを提供する。また、それと同時に、ＩＴ用途に関係したビジネスタスクを実装するために、ＩＴ技術者に対してツールを提供する。故に、ビジネスプロセス定義１３の形式でのビジネスアナリスト及びＩＴ技術者の共同の出力は、実行の自動化のために装置１０によって提供されるランタイムエンジン又は実行モジュール１８への入力となる。
【００３９】
統合された装置１０が提供されることによって、ビジネスアナリストとＩＴ技術者との間のコミュニケーションを迅速化する。また、装置１０は、ダイヤグラムエディタ１２を用いてビジネスプロセスダイヤグラムを生成／編集した後、ビジネスプロセスを容易に発行可能とする。
【００４０】
以上の通り本発明の例示的な実施形態が記載されたが、本発明から逸脱することなく、その設計、構成、及び／又は動作の細部にさまざまな変更を加えることができるということが当業者には明らかである。例えば、ビジネスアナリスト及びＩＴ技術者が装置１０を同時に使用して１つ以上のビジネスプロセスの自動化に同時に取り組むように、複数のユーザコンソール２２が提供される。
【符号の説明】
【００４１】
１０  ビジネスプロセス自動化装置
１２  ビジネスプロセスダイヤグラムエディタ
１３  ビジネスプロセス定義
１４  インプリメンテーションエディタ
１６  リポジトリ
１８  実行モジュール
２０  監視及び制御モジュール
２２  ユーザコンソール
３００  ビジネスプロセスダイヤグラムエディタのスクリーンショット
３０１  ダイヤグラムキャンバス
３０２  ダイヤグラム基本要素
３０２−１  タスク
３０３  ビジネスプロセスダイヤグラム
３０４  ツールボックス
４００  インプリメンテーションエディタのスクリーンショット
４０１  インプリメンテーションキャンバス
４０２  インプリメンテーション基本要素
４０３  インプリメンテーション
４０４  ツールボックス
【図１】
2010211796.tif 000003
【図２】
2010211796.tif 000004
【図３】
2010211796.tif 000005
【図４】
2010211796.tif 000006